(57)【要約】      （修正有）【課題】薄い素材で耐荷重性を保持させることができる構造とした角筒形の食品容器を提供する。【解決手段】容器本体１が、方形状の底壁１１と、その周辺から立ち上がった側壁１２と、その上端部から外周方向に延びた上壁１３と、更に下方に降下した降下壁１４と、その下端から外周方向に延びたフランジ１５とを備えた深い箱形で、側壁１２が、開口１０周部から底壁１１の内周に伸びた多数の平行な補強リブ１６を備え、蓋体２が、方形状の天井壁２１と、その周辺から立ち上がった側壁２２と、その上端部から外周方向に延びた段状壁２３と、更に上方に立ち上がった立ち上がり壁２４と、その上端から外周方向に延びたフランジ２５とを備え、側壁２２が、上端から天井壁２１の内周にまで伸びた多数の平行な補強リブ２６を備え、天井壁２１に空気孔４が形成され、容器本体１の深さが、蓋体２の深さの約２倍乃至３倍に形成されているもの。【選択図】図１
0003144825.tif 000002
【実用新案登録請求の範囲】
【請求項１】
上部に開口(10)を備えた箱形の容器本体(1)と、該容器本体(1)の上部を覆う箱形の蓋体(2)とからなる合成樹脂シート製の食品容器であって、
容器本体(1)が、概略方形状の水平な底壁(11)と、該底壁(11)の各周辺から立ち上がった四周の側壁(12)と、該側壁(12)の上端部から外周方向に向かって延びた上壁(13)と、該上壁(13)から下方に向かって降下した降下壁(14)と、その下端から外周方向に向かって延びたフランジ(15)とを備えた深い箱形に形成され、かつ、前記四周の側壁(12)が、開口(10)の周部から底壁(11)の内周方向にまで伸びた多数の平行な補強リブ(16)を備え、
蓋体(2)が、閉蓋姿勢としたとき天面を形成する概略方形状の天井壁(21)と、非閉蓋姿勢で該天井壁(21)の各周辺から立ち上がった四周の側壁(22)と、該側壁(22)の上端部から外周方向に向かって延びた段状壁(23)と、該段状壁(23)から上方に向かって立ち上がった立ち上がり壁(24)と、その上端から外周方向に向かって延びたフランジ(25)とを備えた深さの浅い角皿形に形成され、かつ、前記四周の側壁(22)が、上端から天井壁(21)の内周方向の一部にまで一連に伸びた多数の平行な補強リブ(26)を備え、
更に、該蓋体(2)の天井壁(21)には一つまたは複数の空気孔(4)が形成され、前記容器本体(1)の深さが、蓋体(2)の深さに比して約２倍乃至３倍の深さを備えたものとされている食品容器。
【請求項２】
上部に開口(10)を備えた箱形の容器本体(1)と、該容器本体(1)の上部を覆う箱形の蓋体(2)と、これらを一側で連結する折り畳み自在としたヒンジ部(3)とを一体的に備えた合成樹脂シート製の食品容器であって、
容器本体(1)が、概略方形状の水平な底壁(11)と、該底壁(11)の各周辺から立ち上がった四周の側壁(12)と、該側壁(12)の上端部から外周方向に向かって延びた上壁(13)と、該上壁(13)から下方に向かって降下した降下壁(14)と、その下端から外周方向に向かって延びたフランジ(15)とを備えた深い箱形に形成され、かつ、前記四周の側壁(12)が、開口(10)の周部から底壁(11)の内周方向にまで伸びた多数の平行な補強リブ(16)を備え、
蓋体(2)が、閉蓋姿勢としたとき天面を形成する概略方形状の天井壁(21)と、非閉蓋姿勢で該天井壁(21)の各周辺から立ち上がった四周の側壁(22)と、該側壁(22)の上端部から外周方向に向かって延びた段状壁(23)と、該段状壁(23)から上方に向かって立ち上がった立ち上がり壁(24)と、その上端から外周方向に向かって延びたフランジ(25)とを備えた深さの浅い角皿形に形成され、かつ、前記四周の側壁(22)が、上端から天井壁(21)の内周方向の一部にまで一連に伸びた多数の平行な補強リブ(26)を備え、
更に、該蓋体(2)の天井壁(21)には一つまたは複数の空気孔(4)が形成され、前記容器本体(1)の深さが、蓋体(2)の深さに比して約２倍乃至３倍の深さを備えたものとされている食品容器。
【請求項３】
容器本体(1)には、当該フランジ(15)の少なくとも１カ所の角隅部に、一段低く形成した舌片状の下側摘み部(17)が形成され、蓋体(2)にも閉蓋時に該下側摘み部(17)と対向する角隅部に、閉蓋状態で一段高くなる舌片状の上側摘み部(27)が形成されている請求項１または２に記載の食品容器。
【考案の詳細な説明】
【技術分野】
【０００１】
本考案は、容器本体と蓋体とからなる容器が、合成樹脂フィルム素材で成形されている食品容器に関し、より詳しくは、ミニトマトの他、ブルーベリー、グーズベリー、ストロベリー等のイチゴ類、チェリーのような小形の青果物容器として使用し、外部から収容果物の種類や状態の確認可能な状態で陳列販売するのに適した使い捨てタイプの食品容器に関する。
【背景技術】
【０００２】
従来から、合成樹脂フィルム素材で形成された生果物用の容器であって、容器本体と蓋体とからなる使い捨てタイプの食品容器は、収容する食品の種類に応じて様々に工夫された様々の形態のものが市場に提供されている。
【０００３】
また、同じ小形の生果物でも、包装形態が多様化しており、例えば単身者用や夫婦用、一般家庭用等、顧客が購買し易い適量を個々の容器に収容して販売する必要性があり、そのため、容器の大きさや形状も、食品の販売単位に合わせて作ることが求められている。
【特許文献１】特許第３３６４８００号公報
【考案の開示】
【考案が解決しようとする課題】
【０００４】
而して、ミニトマトやブルーベリーのような小形の生果物を少量ずつ収容して、移送し陳列販売するに際して、ダンボール容器内に複数段積み重ね状として収納し、店頭販売に際しても複数段積み重ねて販売されるのが一般的である。
【０００５】
したがって、容器どうしを安定して必要段数積層できるようにすることが必要であり、最下層の容器も押し潰されることなく、収容果物を確実に保護する必要がある。
【０００６】
他方において、この種の容器は、購買者において内容物が取り出された後は、廃棄処分される使い捨てタイプの容器であるため、可能な限り低コストのものとする必要性から、一般的には、例えば、厚さ０．４〜０．５ｍｍという薄い合成樹脂フィルムが使用されている。厚手のフィルムにあっても０．７〜０．８ｍｍ程度までの素材に止まっている。
【０００７】
しかしながら、本考案は、これら従来の容器と同じ厚さの材料フィルムを使用した場合には、より安定した耐荷重強度を備え、従来の容器と同じ程度の耐荷重強度を備えた容器を得る場合には、より薄い材料フィルムを使用することができる構造とし、所要複数段の容器を積層状態として梱包したり、陳列したりしても、積み重ねられた上側の荷重が加わる最下段の容器にあっても押し潰されることなく十分に耐え得るようにした食品容器を提供することを目的とする。
【課題を解決するための手段】
【０００８】
この目的を達成するために講じた本考案にいう食品容器の構成を、実施例説明に使用した符号を用いて説明すると、請求項１に記載の第一の考案は、上部に開口１０を備えた箱形の容器本体１と、該容器本体１の上部を覆う箱形の蓋体２とからなる合成樹脂シート製の食品容器であって、容器本体１が、概略方形状の水平な底壁１１と、該底壁１１の各周辺から立ち上がった四周の側壁１２と、該側壁１２の上端部から外周方向に向かって延びた上壁１３と、該上壁１３から下方に向かって降下した降下壁１４と、その下端から外周方向に向かって延びたフランジ１５とを備えた深い箱形に形成され、かつ、前記四周の側壁１２が、開口１０の周部から底壁１１の内周方向にまで伸びた多数の平行な補強リブ１６を備え、蓋体２が、閉蓋姿勢としたとき天面を形成する概略方形状の天井壁２１と、非閉蓋姿勢で該天井壁２１の各周辺から立ち上がった四周の側壁２２と、該側壁２２の上端部から外周方向に向かって延びた段状壁２３と、該段状壁２３から上方に向かって立ち上がった立ち上がり壁２４と、その上端から外周方向に向かって延びたフランジ２５とを備えた深さの浅い角皿形に形成され、かつ、前記四周の側壁２２が、上端から天井壁２１の内周方向の一部にまで一連に伸びた多数の平行な補強リブ２６を備え、更に、該蓋体２の天井壁２１には一つまたは複数の空気孔４が形成され、前記容器本体１の深さが、蓋体２の深さに比して約２倍乃至３倍の深さを備えた構成としたものである。
【０００９】
また、請求項２に記載の第二の考案は、上部に開口１０を備えた箱形の容器本体１と、該容器本体１の上部を覆う箱形の蓋体２と、これらを一側で連結する折り畳み自在としたヒンジ部３とを一体的に備えた合成樹脂シート製の食品容器であって、容器本体１が、概略方形状の水平な底壁１１と、該底壁１１の各周辺から立ち上がった四周の側壁１２と、該側壁１２の上端部から外周方向に向かって延びた上壁１３と、該上壁１３から下方に向かって降下した降下壁１４と、その下端から外周方向に向かって延びたフランジ１５とを備えた深い箱形に形成され、かつ、前記四周の側壁１２が、開口１０の周部から底壁１１の内周方向にまで伸びた多数の平行な補強リブ１６を備え、蓋体２が、閉蓋姿勢としたとき天面を形成する概略方形状の天井壁２１と、非閉蓋姿勢で該天井壁２１の各周辺から立ち上がった四周の側壁２２と、該側壁２２の上端部から外周方向に向かって延びた段状壁２３と、該段状壁２３から上方に向かって立ち上がった立ち上がり壁２４と、その上端から外周方向に向かって延びたフランジ２５とを備えた深さの浅い角皿形に形成され、かつ、前記四周の側壁２２が、上端から天井壁２１の内周方向の一部にまで一連に伸びた多数の平行な補強リブ２６を備え、更に、該蓋体２の天井壁２１には一つまたは複数の空気孔４が形成され、前記容器本体１の深さが、蓋体２の深さに比して約２倍乃至３倍の深さを備えた構成としたものである。
【００１０】
また、請求項３に記載の構成は、前記請求項１に記載考案または請求項２に記載の考案に従属する構成であって、容器本体１には、当該フランジ１５の少なくとも１カ所の角隅部に、一段低く形成した舌片状の下側摘み部１７が形成され、蓋体２にも閉蓋時に該下側摘み部１７と対向する角隅部に、閉蓋状態で一段高くなる舌片状の上側摘み部２７が形成されている構成としたものである。
【考案の効果】
【００１１】
請求項１に記載の考案によれば、容器本体が、各側壁の上端部から外周方向に向かって延びた上壁と、その外端から下方に向かって降下した降下壁と、その下端から更に外周方向に向かって延びたフランジとを備えているので開口部が強度の高いものとされ、かつ、四周の側壁が、何れも開口の周部から底壁の内周方向にまで伸びた多数の平行な補強リブを備えさせてあるので、深さの深い容器本体であっても、上方からの圧縮荷重に対して極めて高い抵抗強度を有し、容易に座屈現象を生じることがなく、蓋体も、四周の側壁の上端部から外周方向に向かって延びた段状壁と、その外周部から上方に向かって立ち上がった立ち上がり壁と、その上端から外周方向に向かって延びたフランジとを備えているので中心方向への変形耐力が極めて高く、かつ、四周の側壁が、その上端から天井壁の内周方向の一部にまで一連に伸びた多数の平行な補強リブを備えさせてあるので、上下方向の圧縮荷重に強く、天井壁には空気孔を形成してあるので、容器内の食品の鮮度を長く維持させておくことができるという効果も同時に有するものである。
【００１２】
請求項２に記載の考案によれば、前記請求項１に記載の食品容器と同様の効果を有し、更に、容器本体とその上部を覆わせる蓋体とを一側で、折り畳み自在としたヒンジ部を介して一体的に形成した単一部材としてあるので、機械による閉蓋操作を行い易く、容器本体と蓋体との数が合わないというような不都合を生じることがない利点がある。
【００１３】
請求項３に記載の考案によれば、容器本体と蓋体とのフランジの対向する角隅部に、容器本体側は一段低くした下側摘み部を形成し、蓋体側は閉蓋状態で一段高くした上側摘み部を形成してあるので、指先によるこれらの摘み部の摘み持ちが容易で、開封を容易にできる利点がある。
【考案を実施するための最良の形態】
【００１４】
以下、本考案の構成を図面を用いて説明する。図１乃至図５は、本考案の主たる実施例の容器を第１実施例として示したもので、図１は全体斜視図、図２は平面図、図３は正面図、図４は図２における左側面図、図５は同右側面図である。
【００１５】
この第１実施例に示した容器は、主としてミニトマト用容器として使用するための容器である。該容器は、容器本体１と、蓋体２と、これら容器本体１と蓋体２とを一側で接続するヒンジ部３とによって、一体的に形成された単一体からなる容器である。
【００１６】
図２における左右方向の容器全体の大きさは約２００余ｍｍ、容器本体１は、四隅を円弧状とした約１００ｍｍ四方の正方形状で、深さ約５０ｍｍ、蓋体２の深さ約２０ｍｍ大とした容器であって、合成樹脂素材シートは厚さ０．２５ｍｍのＡＰＥＴ樹脂フィルム材によって形成した。この容器本体１と蓋体２との大きさ(深さ)の割合は、５対２となっている。
【００１７】
該実施例の容器を形成するに当たっては、一般に周知のブロー成形金型、バキューム成形金型、またはその両手段を備えた成形金型を用いて所定の形状に膨出成形したものである。合成樹脂シート素材は、この種の容器の製造に従来から用いられているシート素材であれば特に限定されるものではなく、例えばＰＰ、ＰＥ等の樹脂素材が使用できる。しかしながら、前記ＡＰＥＴ（非晶性ポリエチレンテレフタレート）樹脂を使用すると、廃材リサイクルが容易であり、また、焼却処理しても発熱量が少なく、焼却炉の寿命を縮めることが少なく、ダイオキシン等の有害物質の生成を排除でき、地中埋設処分しても塩素公害問題を起こすことがないという利点がある。
【００１８】
而して、該実施例に示した容器は、積層収容や積み上げ展示時に、最下段の容器が上部容器の荷重を受けて圧縮変形することのないようにしたものであって、容器本体１の底壁１１の各周辺から立ち上がった四周の側壁１２を、開口１０の周部から底壁１１の内周方向にまで一連に伸びた補強リブ１６を、側壁１２のほぼ全面に亘って多数本平行に形成してあるものとし、この側壁１２のほぼ全面に亘って立設形成した多数本の平行リブ１６によって耐荷重性能を増加させてある。
【００１９】
また、これらの各側壁１２の上端部には、側壁１２の外周方向に向かって延びた上壁１３と、その外端から下方に向かって降下した降下壁１４と、その下端から外周方向に向かって延びたフランジ１５とを形成して、開口部の変形強度も大きくしてある。
【００２０】
他方、蓋体２においても、天井壁２１の各周辺から立ち上がった四周の側壁２２と、この側壁２２の上端部から外周方向に向かって延びた段状壁２３と、この段状壁２３から上方に向かって立ち上がった立ち上がり壁２４と、その上端から外周方向に向かって延びたフランジ２５とを備えたものとしてある。また、四周の側壁２２を、その上端から天井壁２１の内周方向の一部にまで一連に伸びた多数の平行な補強リブ２６を形成したものとしてある。このことによって、蓋体２も、圧縮強度と中心方向への変形強度とに優れた強度を発揮するものとしてある。
【００２１】
また、蓋体２の天井壁２１には、図１及び図２のように、各角部近く部分に配置された四つの空気孔４を形成してあり、収容果物、ここではミニトマトの鮮度を長く維持できるようにしてある。
【００２２】
図６及び図７は、第２実施例の容器を示したものであって、図６はその全体斜視図、図７はその平面図である。
【００２３】
この第２実施例に示した容器は、容器本体１の構造、蓋体２の構造を、前記第１実施例の容器本体１の構造、蓋体２の構造と同様の構造としたものである。ただ、該第２実施例に示した容器は、容器本体１と蓋体２とを別体として、二つの部材によって構成されているものとしたものである。成型素材としては、０．３ｍｍ厚のＰＥＴ（ポリエチレンテレフタレート）樹脂を使用している。その他の点は、前記第１実施例の容器に準じたものである。
【００２４】
以上の実施例説明では、容器本体、ひいては蓋体も、平面視形状をほぼ正方形状のものとして示したが、一対の辺に対する他の一対の辺の長さを、２倍または２倍未満とした平面視長方形のものとして実施してもよい。実験の結果、長辺の長さが短辺の長さの２倍を超えると、長辺側の長手方向への変形が容易に生じることとなって好ましくない。
【００２５】
なお、本考案の実施に当たっては、前記の構成要件を備え、前記の目的を達成し、前記の効果を有する範囲において適宜に実施し得るものである。
【産業上の利用可能性】
【００２６】
可能な限り薄いシート素材を使用し、構造上において必要な強度を最大限に発揮させるようにしたものであるから、少なくとも素材シートの軽量化分だけ安価に市場に提供できる点で、有用な考案である。
【図面の簡単な説明】
【００２７】
【図１】第１実施例の容器の全体斜視図。
【図２】同平面図。
【図３】同正面図。
【図４】図２における左側面図。
【図５】同右側面図。
【図６】第２実施例の容器の全体斜視図。
【図７】同平面図。
【符号の説明】
【００２８】
１  容器本体
１０  開口
１１  底壁
１２  側壁
１３  上壁
１４  降下壁
１５  フランジ
１６  補強リブ
１７  下側摘み部
２  蓋体
２１  天井壁
２２  側壁
２３  段状壁
２４  立ち上がり壁
２５  フランジ
２６  補強リブ
２７  上側摘み部
３  ヒンジ部
４  空気孔
【図１】
0003144825.tif 000003
【図２】
0003144825.tif 000004
【図３】
0003144825.tif 000005
【図４】
0003144825.tif 000006
【図５】
0003144825.tif 000007
【図６】
0003144825.tif 000008
【図７】
0003144825.tif 000009
【手続補正書】
【提出日】平成20年7月8日(2008.7.8)
【手続補正１】
【補正対象書類名】明細書
【補正対象項目名】全文
【補正方法】変更
【補正の内容】
【考案の詳細な説明】
【技術分野】
【０００１】
本考案は、容器本体と蓋体とからなる容器が、合成樹脂シート素材で成形されている食品容器に関し、より詳しくは、ミニトマトの他、ブルーベリー、グーズベリー、ストロベリー等のイチゴ類、チェリーのような小形の青果物容器として使用し、外部から収容果物の種類や状態の確認可能な状態で陳列販売するのに適した使い捨てタイプの食品容器に関する。
【背景技術】
【０００２】
従来から、合成樹脂シート素材で形成された生果物用の容器であって、容器本体と蓋体とからなる使い捨てタイプの食品容器は、収容する食品の種類に応じて様々に工夫された様々の形態のものが市場に提供されている。
【０００３】
また、同じ小形の生果物でも、包装形態が多様化しており、例えば単身者用や夫婦用、一般家庭用等、顧客が購買し易い適量を個々の容器に収容して販売する必要性があり、そのため、容器の大きさや形状も、食品の販売単位に合わせて作ることが求められている。
【特許文献１】特許第３３６４８００号公報
【考案の開示】
【考案が解決しようとする課題】
【０００４】
而して、ミニトマトやブルーベリーのような小形の生果物を少量ずつ収容して、移送し陳列販売するに際して、ダンボール容器内に複数段積み重ね状として収納し、店頭販売に際しても複数段積み重ねて販売されるのが一般的である。
【０００５】
したがって、容器どうしを安定して必要段数積層できるようにすることが必要であり、最下層の容器も押し潰されることなく、収容果物を確実に保護する必要がある。
【０００６】
他方において、この種の容器は、購買者において内容物が取り出された後は、廃棄処分される使い捨てタイプの容器であるため、可能な限り低コストのものとする必要性から、一般的には、例えば、厚さ０．４〜０．５ｍｍという薄い合成樹脂シートが使用されている。厚手のシートにあっても０．７〜０．８ｍｍ程度までの素材に留まっている。
【０００７】
しかしながら、本考案は、これら従来の容器と同じ厚さの材料シートを使用した場合には、より安定した耐荷重強度を備え、従来の容器と同じ程度の耐荷重強度を備えた容器を得る場合には、より薄い材料シートを使用することができる構造とし、所要複数段の容器を積層状態として梱包したり、陳列したりしても、積み重ねられた上側の荷重が加わる最下段の容器にあっても押し潰されることなく十分に耐え得るようにした食品容器を提供することを目的とする。
【課題を解決するための手段】
【０００８】
この目的を達成するために講じた本考案にいう食品容器の構成を、実施例説明に使用した符号を用いて説明すると、請求項１に記載の第一の考案は、上部に開口１０を備えた箱形の容器本体１と、該容器本体１の上部を覆う箱形の蓋体２とからなる合成樹脂シート製の食品容器であって、容器本体１が、概略方形状の水平な底壁１１と、該底壁１１の各周辺から立ち上がった四周の側壁１２と、該側壁１２の上端部から外周方向に向かって延びた上壁１３と、該上壁１３から下方に向かって降下した降下壁１４と、その下端から外周方向に向かって延びたフランジ１５とを備えた深い箱形に形成され、かつ、前記四周の側壁１２が、開口１０の周部から底壁１１の内周方向にまで伸びた多数の平行な補強リブ１６を備え、蓋体２が、閉蓋姿勢としたとき天面を形成する概略方形状の天井壁２１と、非閉蓋姿勢で該天井壁２１の各周辺から立ち上がった四周の側壁２２と、該側壁２２の上端部から外周方向に向かって延びた段状壁２３と、該段状壁２３から上方に向かって立ち上がった立ち上がり壁２４と、その上端から外周方向に向かって延びたフランジ２５とを備えた深さの浅い角皿形に形成され、かつ、前記四周の側壁２２が、上端から天井壁２１の内周方向の一部にまで一連に伸びた多数の平行な補強リブ２６を備え、更に、該蓋体２の天井壁２１には一つまたは複数の空気孔４が形成され、前記容器本体１の深さが、蓋体２の深さに比して約２倍乃至３倍の深さを備えた構成としたものである。
【０００９】
また、請求項２に記載の第二の考案は、上部に開口１０を備えた箱形の容器本体１と、該容器本体１の上部を覆う箱形の蓋体２と、これらを一側で連結する折り畳み自在としたヒンジ部３とを一体的に備えた合成樹脂シート製の食品容器であって、容器本体１が、概略方形状の水平な底壁１１と、該底壁１１の各周辺から立ち上がった四周の側壁１２と、該側壁１２の上端部から外周方向に向かって延びた上壁１３と、該上壁１３から下方に向かって降下した降下壁１４と、その下端から外周方向に向かって延びたフランジ１５とを備えた深い箱形に形成され、かつ、前記四周の側壁１２が、開口１０の周部から底壁１１の内周方向にまで伸びた多数の平行な補強リブ１６を備え、蓋体２が、閉蓋姿勢としたとき天面を形成する概略方形状の天井壁２１と、非閉蓋姿勢で該天井壁２１の各周辺から立ち上がった四周の側壁２２と、該側壁２２の上端部から外周方向に向かって延びた段状壁２３と、該段状壁２３から上方に向かって立ち上がった立ち上がり壁２４と、その上端から外周方向に向かって延びたフランジ２５とを備えた深さの浅い角皿形に形成され、かつ、前記四周の側壁２２が、上端から天井壁２１の内周方向の一部にまで一連に伸びた多数の平行な補強リブ２６を備え、更に、該蓋体２の天井壁２１には一つまたは複数の空気孔４が形成され、前記容器本体１の深さが、蓋体２の深さに比して約２倍乃至３倍の深さを備えた構成としたものである。
【００１０】
また、請求項３に記載の構成は、前記請求項１に記載考案または請求項２に記載の考案に従属する構成であって、容器本体１には、当該フランジ１５の少なくとも１カ所の角隅部に、一段低く形成した舌片状の下側摘み部１７が形成され、蓋体２にも閉蓋時に該下側摘み部１７と対向する角隅部に、閉蓋状態で一段高くなる舌片状の上側摘み部２７が形成されている構成としたものである。
【考案の効果】
【００１１】
請求項１に記載の考案によれば、容器本体が、各側壁の上端部から外周方向に向かって延びた上壁と、その外端から下方に向かって降下した降下壁と、その下端から更に外周方向に向かって延びたフランジとを備えているので開口部が強度の高いものとされ、かつ、四周の側壁が、何れも開口の周部から底壁の内周方向にまで伸びた多数の平行な補強リブを備えさせてあるので、深さの深い容器本体であっても、上方からの圧縮荷重に対して極めて高い抵抗強度を有し、容易に座屈現象を生じることがなく、蓋体も、四周の側壁の上端部から外周方向に向かって延びた段状壁と、その外周部から上方に向かって立ち上がった立ち上がり壁と、その上端から外周方向に向かって延びたフランジとを備えているので中心方向への変形耐力が極めて高く、かつ、四周の側壁が、その上端から天井壁の内周方向の一部にまで一連に伸びた多数の平行な補強リブを備えさせてあるので、上下方向の圧縮荷重に強く、天井壁には空気孔を形成してあるので、容器内の食品の鮮度を長く維持させておくことができるという効果も同時に有するものである。
【００１２】
請求項２に記載の考案によれば、前記請求項１に記載の食品容器と同様の効果を有し、更に、容器本体とその上部を覆わせる蓋体とを一側で、折り畳み自在としたヒンジ部を介して一体的に形成した単一部材としてあるので、機械による閉蓋操作を行い易く、容器本体と蓋体との数が合わないというような不都合を生じることがない利点がある。
【００１３】
請求項３に記載の考案によれば、容器本体と蓋体とのフランジの対向する角隅部に、容器本体側は一段低くした下側摘み部を形成し、蓋体側は閉蓋状態で一段高くした上側摘み部を形成してあるので、指先によるこれらの摘み部の摘み持ちが容易で、開封を容易にできる利点がある。
【考案を実施するための最良の形態】
【００１４】
以下、本考案の構成を図面を用いて説明する。図１乃至図５は、本考案の主たる実施例の容器を第１実施例として示したもので、図１は全体斜視図、図２は平面図、図３は正面図、図４は図２における左側面図、図５は同右側面図である。
【００１５】
この第１実施例に示した容器は、主としてミニトマト用容器として使用するための容器である。該容器は、容器本体１と、蓋体２と、これら容器本体１と蓋体２とを一側で接続するヒンジ部３とによって、一体的に形成された単一体からなる容器である。
【００１６】
図２における左右方向の容器全体の大きさは約２００余ｍｍ、容器本体１は、四隅を円弧状とした約１００ｍｍ四方の正方形状で、深さ約５０ｍｍ、蓋体２の深さ約２０ｍｍ大とした容器であって、合成樹脂素材シートは厚さ０．２５ｍｍのＡＰＥＴ樹脂シート材によって形成した。この容器本体１と蓋体２との大きさ(深さ)の割合は、５対２となっている。
【００１７】
該実施例の容器を形成するに当たっては、一般に周知のブロー成形金型、バキューム成形金型、またはその両手段を備えた成形金型を用いて所定の形状に膨出成形したものである。合成樹脂シート素材は、この種の容器の製造に従来から用いられているシート素材であれば特に限定されるものではなく、例えばＰＰ、ＰＥ等の樹脂素材が使用できる。しかしながら、前記ＡＰＥＴ（非晶性ポリエチレンテレフタレート）樹脂を使用すると、廃材リサイクルが容易であり、また、焼却処理しても発熱量が少なく、焼却炉の寿命を縮めることが少なく、ダイオキシン等の有害物質の生成を排除でき、地中埋設処分しても塩素公害問題を起こすことがないという利点がある。
【００１８】
而して、該実施例に示した容器は、積層収容や積み上げ展示時に、最下段の容器が上部容器の荷重を受けて圧縮変形することのないようにしたものであって、容器本体１の底壁１１の各周辺から立ち上がった四周の側壁１２を、開口１０の周部から底壁１１の内周方向にまで一連に伸びた補強リブ１６を、側壁１２のほぼ全面に亘って多数本平行に形成してあるものとし、この側壁１２のほぼ全面に亘って立設形成した多数本の平行リブ１６によって耐荷重性能を増加させてある。
【００１９】
また、これらの各側壁１２の上端部には、側壁１２の外周方向に向かって延びた上壁１３と、その外端から下方に向かって降下した降下壁１４と、その下端から外周方向に向かって延びたフランジ１５とを形成して、開口部の変形強度も大きくしてある。
【００２０】
他方、蓋体２においても、天井壁２１の各周辺から立ち上がった四周の側壁２２と、この側壁２２の上端部から外周方向に向かって延びた段状壁２３と、この段状壁２３から上方に向かって立ち上がった立ち上がり壁２４と、その上端から外周方向に向かって延びたフランジ２５とを備えたものとしてある。また、四周の側壁２２を、その上端から天井壁２１の内周方向の一部にまで一連に伸びた多数の平行な補強リブ２６を形成したものとしてある。このことによって、蓋体２も、圧縮強度と中心方向への変形強度とに優れた強度を発揮するものとしてある。
【００２１】
また、蓋体２の天井壁２１には、図１及び図２のように、各角部近く部分に配置された四つの空気孔４を形成してあり、収容果物、ここではミニトマトの鮮度を長く維持できるようにしてある。
【００２２】
図６及び図７は、第２実施例の容器を示したものであって、図６はその全体斜視図、図７はその平面図である。
【００２３】
この第２実施例に示した容器は、容器本体１の構造、蓋体２の構造を、前記第１実施例の容器本体１の構造、蓋体２の構造と同様の構造としたものである。ただ、該第２実施例に示した容器は、容器本体１と蓋体２とを別体として、二つの部材によって構成されているものとしたものである。成型素材としては、０．３ｍｍ厚のＰＥＴ（ポリエチレンテレフタレート）樹脂を使用している。その他の点は、前記第１実施例の容器に準じたものである。
【００２４】
以上の実施例説明では、容器本体、ひいては蓋体も、平面視形状をほぼ正方形状のものとして示したが、一対の辺に対する他の一対の辺の長さを、２倍または２倍未満とした平面視長方形のものとして実施してもよい。実験の結果、長辺の長さが短辺の長さの２倍を超えると、長辺側の長手方向への変形が容易に生じることとなって好ましくない。
【００２５】
なお、本考案の実施に当たっては、前記の構成要件を備え、前記の目的を達成し、前記の効果を有する範囲において適宜に実施し得るものである。
【産業上の利用可能性】
【００２６】
可能な限り薄いシート素材を使用し、構造上において必要な強度を最大限に発揮させるようにしたものであるから、少なくとも素材シートの軽量化分だけ安価に市場に提供できる点で、有用な考案である。
【図面の簡単な説明】
【００２７】
【図１】第１実施例の容器の全体斜視図。
【図２】同平面図。
【図３】同正面図。
【図４】図２における左側面図。
【図５】同右側面図。
【図６】第２実施例の容器の全体斜視図。
【図７】同平面図。
【符号の説明】
【００２８】
１  容器本体
１０  開口
１１  底壁
１２  側壁
１３  上壁
１４  降下壁
１５  フランジ
１６  補強リブ
１７  下側摘み部
２  蓋体
２１  天井壁
２２  側壁
２３  段状壁
２４  立ち上がり壁
２５  フランジ
２６  補強リブ
２７  上側摘み部
３  ヒンジ部
４  空気孔